(57)【要約】【課題】前記の装置を採用した後、壁掛式表示装置または角度調節装置にわずかな力を直接に加えるだけで、壁掛式表示装置を取り外す必要がなく、ユーザのニーズに基づいて、壁掛式表示装置の角度を正確に調節することを可能とする。【解決手段】本発明は壁または支持ホルダーに取付けられる固定ブラケットと壁掛式表示装置の背面に取付けられる装置固定枠とを含み、固定ブラケットと装置固定枠との下端が回転可能に連結されており、角度連続調節装置は、その一端が固定ブラケットに回転可能に連結され、他端が装置固定枠に回転可能に連結され、設定された回転抵抗モーメントを有しており、平衡保持用テンションスプリングは一端が固定ブラケットに連結され、他端が装置固定枠に連結されている壁掛式表示装置の角度連続調節装置を公開する。
2008515251.tif 000002
【特許請求の範囲】
【請求項１】
壁または支持ホルダーに取付けられる固定ブラケットと壁掛式表示装置の背面に取付けられる装置固定枠とを含み、固定ブラケットと装置固定枠との下端が回転可能に連結されている壁掛式表示装置の角度連続調節装置において、
前記角度連続調節装置は、その一端が前記固定ブラケットに回転可能に連結され、他端が前記装置固定枠に回転可能に連結され、設定された回転抵抗モーメントを有しおり、
さらに、一端が前記固定ブラケットに連結され、他端が前記装置固定枠に連結されている平衡保持用テンションスプリングを有していることを特徴とする壁掛式表示装置の角度連続調節装置。
【請求項２】
請求項１に記載する壁掛式表示装置の角度連続調節装置において、
前記角度連続調節装置は、二本の連結ロッドとヒンジアセンブリーとを含んでおり、前記二本の連結ロッドは、その一端が前記ヒンジアセンブリーを介して滑節され、一本の前記連結ロッドの他端は前記固定ブラケットに回転可能に連結され、他の一本の前記連結ロッドの他端は前記装置固定枠に回転可能に連結され、前記ヒンジアセンブリーは設定された回転抵抗モーメントを有していることを特徴とする壁掛式表示装置の角度連続調節装置。
【請求項３】
請求項２に記載する壁掛式表示装置の角度連続調節装置において、
前記のヒンジアセンブリーはボルト、ワッシャー、弾性ワッシャー、及びナットを含んでいることを特徴とする壁掛式表示装置の角度連続調節装置。
【請求項４】
請求項１または２に記載する壁掛式表示装置の角度連続調節装置において、
前記の角度連続調節装置の回転抵抗モーメントと前記平衡保持用テンションスプリングの弾性係数は前記壁掛式表示装置の重さによって調節されることを特徴とする壁掛式表示装置の角度連続調節装置。
【請求項５】
請求項１または２に記載する壁掛式表示装置の角度連続調節装置において、
前記角度連続調節装置の数量が複数個であり且つ前記平衡保持用テンションスプリングの数量が一個であるか、前記角度連続調節装置の数量が一個であり且つ前記平衡保持用テンションスプリングの数量が数個であるか、または前記角度連続調節装置の数量が複数個であり且つ前記平衡保持用テンションスプリングの数量が複数個であることを特徴とする壁掛式表示装置の角度連続調節装置。
【発明の詳細な説明】
【技術分野】
【０００１】
本発明は壁掛式表示装置の角度調節装置に関するものであり、特に一定の角度範囲内において、ユーザのニーズに基づいて、壁に掛けられた壁掛式表示装置の視角の角度を正確に調節することができる角度調節装置に関する。
【背景技術】
【０００２】
関連技術の絶え間のない進歩に伴って、多くの種類の電気機器は壁に掛けられるように超薄型として設計され、取付け用空間を特に必要とせず、見栄えがよく、実用性に優れている。現在の市場に出回っていてよく売れているプラズマ・ディスプレイ・パネルテレビ(ＰＤＰ（Plasma Display Panel）TV)や液晶ディスプレイテレビ(ＬＣＤ（Liquid Crystal Display）TV)等のハイテク超薄型の壁掛式表示装置を例にあげると、これらのスクリーンの寸法は徐々に大きくなっているが、その厚みは却って徐々に薄くなっている。そのため、それはユーザに前にもなかった新しい楽しみを与えている。
ユーザが長期間に渡ってこれらの表示装置の映像を楽しめるように、通常はまず、壁に角度調節装置を固定し、それから角度調節装置に表示装置を取付ける。使用にあたり、ユーザは自身のニーズに基づいて、この表示装置の視角を調節することができる。従来の角度調節装置は、公開番号CN2589794で公開された中国の考案である「プラズマ・テレビの調節型壁掛ホルダー」に示すように、互いに一体に固定された上、下の横桟と左、右の固定縦桟を含んでおり、その固定縦桟の底部には可動縦桟が連結されていて、可動縦桟にはプールロッドが連結されている。また、プールロッドの他端はボルトを介して固定縦桟上の調節孔に連結されていて、可動縦桟には取付け用の孔を設けている。テレビは、前記の中国の考案に記載の壁掛ホルダーにより、一定の角度に傾けることができるが、その傾斜角度が固定縦桟上の調節孔の位置によってだけしか確定されないため、ユーザのニーズに基づいて、正確に調節することはできない。しかも、この壁掛ホルダーは角度調節時には、先ず、テレビを取り外されなければならないし、取外した後、プールロッドを目的とする調節孔に位置決めして、調整済みにして、再度テレビを取付けなければならない。通常、プラズマ・テレビは体積が大きく、その背部には各種の配線がつながっているため、取り外すのは決して容易なものではない。
その後、表示装置を取り外す必要がなく、ユーザのニーズに基づいて、容易に且つ正確に表示装置の角度を調節できる角度調節装置が提案された。図1に示すように、公開番号CN1389753で公開された中国の特許出願である「壁掛式表示装置の角度制御装置」では、角度コントローラは、ガイディングラック、クリッピングキャリヤー、連結調節用伝達棒、角度調節棒と手動角度調節棒からなり、その連結調節用伝達棒の歯車と角度調節棒の歯車とは互いに噛合っており、手動角度調節棒で外力を加えることで調節角度を制御する。また、図2に示すように、公開番号CN1389658で公開された中国の特許出願である「表示装置の角度を調節するための装置及びその連結ブラケット」では、その角度調節装置は、さらに壁上の固定装置と表示装置の連結装置の間にヒンジ機構を設けていて、ヒンジの開け閉めの角度を調節することを利用することによって、表示装置の角度を調節する目的を達成している。前記の2つの技術はある程度は表示装置の角度を調節することができるものの、これらは使用中において、以下のようないくつかの欠点がある。
1.表示装置自体が非常に重いので、外力を受ける手動棒で加えられる外力をより大きな調整応力に転換してはじめて、その手動調整の目的を達成することができる。
2.構造が複雑でコストは高い。しかも、適用範囲は比較的狭い。
3.全体の厚みは厚く、現在の日一日に進んでいる表示装置の薄型化の傾向に従っていない。
【０００３】
【特許文献１】中国特許出願公開第２５８９７９４号
【特許文献２】中国特許出願公開第１３８９７５３号
【特許文献３】中国特許出願公開第１３８９６５８号
【発明の開示】
【発明が解決しようとする課題】
【０００４】
本発明の目的は簡単な構造の壁掛式表示装置の角度調節装置を提供することにある。即ち、壁掛式表示装置を取り外す必要がなく、それに直接に外力が印加され、ユーザのニーズに基づいて、正確に壁掛式表示装置の角度を調節できる角度調節装置を提供することにある。
【課題を解決するための手段】
【０００５】
前記の目的を実現するために、本発明の壁掛式表示装置の角度調節装置は、壁または支持ホルダーに取付けられる固定ブラケットと壁掛式表示装置の背面に取付けられる装置固定枠を含み、固定ブラケットと装置固定枠との下端が回転可能に連結されている。角度連続調節装置は、その一端が前記固定ブラケットに回転可能に連結され、他端が前記装置固定枠に回転可能に連結され、設定された回転抵抗モーメントを有している。平衡保持用テンションスプリングは一端が固定ブラケットに連結され、他端が装置固定枠に連結されている。
前記の装置を採用することによって、この壁掛式表示装置の角度調節装置とこれに固定される壁掛式表示装置は一定の角度に傾けられるとき、図3に示すピン22を支点として、壁掛式表示装置の角度調節装置と壁掛式表示装置の重力モーメント、平衡保持用テンションスプリングの引張力によるモーメント、及び装置固定枠に対する角度連続調節装置の回転抵抗モーメントの三者は静止平衡状態となる。それに加えられる外力がこの静止平衡状態を破壊するのに必要な応力を超える時だけ、壁掛式表示装置の角度は調節可能である。この応力の大きさは壁掛式表示装置の重さの大きさに基づいて、角度連続調節装置の回転抵抗モーメント、平衡保持用テンションスプリングの弾性係数、及び初期長さを調節してユーザに対する適宜な調節力範囲を選定することで決められる。平衡保持用テンションスプリングの引張力は壁掛式表示装置の重さによって発生する水平で外向きの引張力をほぼ打ち消すことができるので、角度調節に必要な外力の大きさは押す時と引張る時とでほぼ一致させられている。このように、壁掛式表示装置または角度調節装置にわずかな力を直接に加えるだけで、壁掛式表示装置を取り外す必要がなく、ユーザのニーズに基づいて、壁掛式表示装置の角度を正確に調節することが実現できる。
使用にあたり、この角度連続調節装置は、二本の連結ロッドとヒンジアセンブリーを含む。この連結ロッドは、その一端がヒンジアセンブリーを介して滑節され、一本の連結ロッドの他端は固定ブラケットに回転可能に連結され、他の一本の連結ロッドの他端は前記装置固定枠に回転可能に連結され、このヒンジアセンブリーは設定された回転抵抗モーメントを有している。通常、平衡保持用テンションスプリングの引張力は壁掛式表示装置の重さをほぼ打ち消し、ヒンジアセンブリーの回転抵抗モーメントは連結ロッドが回転しないようにしている。このヒンジアセンブリーはボルト、ワッシャー、弾性ワッシャーとナットを含み、前記の部材の摩擦抵抗によって回転抵抗モーメントを形成してもよい。
実際の状態によって、本発明の角度連続調節装置の回転抵抗モーメントと平衡保持用テンションスプリングの弾性係数は壁掛式表示装置の重さによって調節される。なお、角度連続調節装置の数量が複数個であって、且つ平衡保持用テンションスプリングの数量が一個であってもよい。また、角度連続調節装置の数量が一個であって、且つ平衡保持用テンションスプリングの数量が複数個であってもよい。また、角度連続調節装置の数量が複数個であって、且つ平衡保持用テンションスプリングの数量が複数個であってもよい。
結論として、本発明は既知の装置に比べて、以下のような利点がある。
1.ユーザ自身による壁掛式表示装置の角度の直接的な手動調節を実現することができる。たとえ壁掛式表示装置の自重がかなり重くても、それに加える必要な外力はかなり小さい。
2.本発明は構造が簡単で、コストは低く、且つ使用される範囲は比較的広い。例えば、プラズマ・ディプレイ・パネルテレビ、液晶ディスプレイテレビ等の比較的重いハイテクの電子機器に広く使用されるだけでなく、大型広告板や大型看板等の大型展示板にも使用される。
3.角度連続調節装置と平衡保持用テンションスプリングは固定ブラケットと装置固定枠との溝内に内蔵できるため、全体の厚みを薄く製作でき、そのため、その外観は見栄えがよい。
【発明を実施するための最良の形態】
【０００６】
次に、本発明について、図面及び実施例を用いて詳細に説明する。
図３及び図４に示すように、本発明による壁掛式表示装置の角度調節装置は固定ブラケット1、装置固定枠2、角度連続調節装置3、及び平衡保持用テンションスプリング4を含んでいる。固定ブラケット1は、支持ホルダー5に取付けられ、装置固定枠2は、壁掛式表示装置6の背面に取付けられ、固定ブラケット1は、装置固定枠2の下端に回転可能に連結されている。角度連続調節装置3は、その一端は固定ブラケット1の一端に回転可能に連結され、他端は装置固定枠2の一端に回転可能に連結され、且つ装置固定枠2の回転を制限することができる。平衡保持用テンションスプリング4の一端は固定ブラケット1に連結され、他端は装置固定枠2に連結されている。
実施において、フック11は固定ブラケット1の背面に形成され、それは膨張アンカー7で壁8に取付けられた支持ホルダー5に引っ掛けることができる。固定ブラケット1は、直接に壁8に取付けることもできる。
装置固定枠2は止ねじ21によって壁掛式表示装置6（例えば、プラズマ・ディスプレイ・パネルテレビや液晶ディスプレイテレビ）の背面に取付けて固定される。そして、それの下端はピン22で固定ブラケット1に連結されるとともに、ピン22を中心に回転することができる。
角度連続調節装置3は、二本の連結ロッド31、32を含んでおり、これらの連結ロッド31、32は、その一端がヒンジアセンブリー33を介して滑節され、他端が回転軸34、35によってそれぞれ固定ブラケット1と装置固定枠2に回転可能に連結されている。図5に示すように、ヒンジアセンブリー33は、ボルト331、ワッシャー332、弾性ワッシャー333、及びナット334を含み、この順番で連結ロッド31、32と組み立てられている。連結ロッド31、32はヒンジアセンブリー33のヒンジ点のまわりを回転することができる。なお、ヒンジアセンブリー33の回転抵抗モーメントは、ナット334の弛みときつさ、弾性ワッシャー333の数と弾性ワッシャー333の弾性係数のパラメーターを調節することで、調節できる（現在、国際上の電子表示業界では、このような構成を通常Hingeと呼んでいる）。なお、壁掛式表示装置6の異なる重さによってそれに適合な回転抵抗モーメントを有するHingeを採用しなければならない。
平衡保持用テンションスプリング4は、その一端が固定ブラケット1に連結され、他端が装置固定枠2に連結され、それが発生する引張力は壁掛式表示装置6の重さによって発生する水平で外向きの引張力をほぼ打ち消すことができるので、角度調節に必要な外力の大きさは押す時と引張る時とでほぼ一致させられている。なお、壁掛式表示装置6の異なる重さによってそれに適合な弾性係数及び初期長さを有する平衡保持用テンションスプリング4を採用しなければならない。
角度連続調節装置3と平衡保持用テンションスプリング4は、ユーザのニーズに基づいて、それらの相互の位置関係を変えることができる。例えば、平衡保持用テンションスプリング4が上に位置して、角度連続調節装置3は下に、または、同一の水平位置に位置してもよい。
この壁掛式表示装置の角度調節装置とこれに固定される壁掛式表示装置6は一定の角度に傾けられるとき、図３に示すピン22を支点として、壁掛式表示装置の角度調節装置と壁掛式表示装置6の重力モーメント、平衡保持用テンションスプリング4の引張力によるモーメント、及び装置固定枠2に対する角度連続調節装置の回転抵抗モーメントの三者は静止平衡状態となる。また、異なる傾斜角度に対して、前記の3種類の応力の平衡関係には、この静止平衡状態を破壊するのに必要な異なる応力が生じる。装置に加えられる外力がこの静止平衡状態を破壊するのに必要なこの応力を超える時だけ、壁掛式表示装置6の角度は調節可能である。同時に、この角度を調節するのに必要な最小限の応力が存在するため、ユーザが角度を調節し終わった後、調節された角度は長期間に渡って不変に保つことができる。この応力の大きさは壁掛式表示装置6の重さの大きさに基づいて、角度連続調節装置3の回転抵抗モーメント、平衡保持用テンションスプリング4の弾性係数、及び初期長さを調節してユーザに対する適宜な調節力範囲を選定することで決められる。
なお、本発明では、最大開き角度を設定できるが、通常は20°程度である。
図４に示すように、本発明の角度連続調節装置と平衡保持用テンションスプリングは固定ブラケットと装置固定枠との溝内に内蔵できるため、全体の厚みを薄く製作でき、そのため、その外観は見栄えがよい。
そのうえ、固定ブラケット1と装置固定枠2は、コスト低減の要求にしたがって、一体的な構造、フレーム構造又は桟とロッドの組合せの構造を採用できる。必要に応じて、角度連続調節装置3と平衡保持用テンションスプリング4の個数も増減できる。例えば、複数個の角度連続調節装置3に一個の平衡保持用テンションスプリング4を組み合せてもよい。また、複数個の平衡保持用テンションスプリング4に一個の角度連続調節装置3を組み合せてもよい。また、複数個の平衡保持用テンションスプリング4に複数個の角度連続調節装置3を組み合せてもよい。
使用にあたり、まず、支持ホルダー5を壁8に固定して、装置固定枠2を壁掛式表示装置6の背面に固定する。次に、固定ブラケット1の背面のフック11を介して壁掛式表示装置6と角度調節装置とをともに支持ホルダー5に引っ掛ける。さらに、ユーザのニーズに基づいて、壁掛式表示装置6または壁掛式表示装置の角度調節装置に必要な調整力を直接に加えることで、壁掛式表示装置6の視角をユーザのニーズに合わせた角度に調節できる。
【図面の簡単な説明】
【０００７】
【図１】公開番号がCN1389753である中国特許出願「壁掛式表示装置の角度制御装置」が公開した構造の斜視図である。
【図２】公開番号がCN1389658である中国特許出願「表示装置の角度を調節するための装置及びその連結ブラケット」が公開した構造の斜視図である。
【図３】本発明に係わる壁掛式表示装置の角度調節装置の開けられた状態での側面図である。
【図４】本発明に係わる壁掛式表示装置の角度調節装置の閉じられた状態での側面図である。
【図５】本発明に係わる連結ロッド及びヒンジアセンブリーの分解斜視図である。
【図１】
2008515251.tif 000003
【図２】
2008515251.tif 000004
【図３】
2008515251.tif 000005
【図４】
2008515251.tif 000006
【図５】
2008515251.tif 000007
【国際調査報告】
2008515251.tif 000008
2008515251.tif 000009
2008515251.tif 000010
2008515251.tif 000011